(57)【要約】【課題】閉じ状態において薄型化できる携帯電子機器を提供する。【解決手段】連結軸４０を収容する第１凸部２２を第１筐体２０の操作部２１が設けられた操作面２０ａから突出して設け、第１凸部２２と操作部２１との間に第２凸部２３を設けて、カメラ２４およびスピーカ２５のうちの少なくとも一方を収容した。そして、第２筐体３０の表示面３０ａに、第１筐体２０と第２筐体３０を積層して閉じた状態で第２凸部２３を収容する凹部３４を設けたので、閉じた状態で第２凸部２３が第１筐体２０および第２筐体３０から突出せず、閉じた状態において携帯電子機器１０を薄型化できる。【選択図】図１
2010093634.tif 000002
【特許請求の範囲】
【請求項１】
操作部が設けられた第１筐体と、
表示部が設けられた第２筐体と、
前記第１筐体と前記第２筐体とを連結する連結軸と、
前記第１筐体の操作部が設けられた操作面から突出し、前記連結軸を収容する第１凸部と、
前記第１凸部と、前記操作部との間に設けられ、カメラおよびスピーカのうちの少なくとも一方を収容する第２凸部と、
前記第２筐体の表示部が設けられた表示面に設けられ、前記第１筐体および前記第２筐体が相対的に積層された閉じ状態において、前記第２凸部を収容する凹部と、を備える携帯電子機器。
【請求項２】
前記第１凸部および前記第２凸部が連続している請求項１に記載の携帯電子機器。
【請求項３】
前記凹部が、前記第２筐体の表示面から前記表示面とは反対側の面まで貫通している請求項１または請求項２に記載の携帯電子機器。
【請求項４】
前記第１筐体における前記第１凸部側の端部にアンテナを収容する第３凸部が設けられている請求項１から請求項３のいずれか１項に記載の携帯電子機器。
【請求項５】
前記第３凸部が、前記連結軸の軸線と平行な線を中心として前記第１筐体に対して回動可能である請求項４に記載の携帯電子機器。
【請求項６】
前記第１筐体および前記第２筐体が相対的に積層された閉じ状態から、前記連結軸を中心として前記第１筐体および前記第２筐体が相対的に回動する開き状態に移行させるためのワンプッシュオープナ機構を備え、
前記第３凸部が、前記ワンプッシュオープナ機構の操作ボタンである請求項５に記載の携帯電子機器。
【発明の詳細な説明】
【技術分野】
【０００１】
本発明は、折り畳み式の携帯電子機器に関するものである。
【背景技術】
【０００２】
近年、携帯電話装置は小型で持ち運びに便利な折り畳み式が主流になっている。折り畳み式の携帯電子機器は、上筐体と下筐体に分割され、両筐体は連結部により開閉可能に連結されている。一般に、上筐体には表示部としてメイン表示部とサブ表示部が設けられており、メイン表示部は携帯電子機器を開いた際に表示部として機能し、サブ表示部は閉じた状態に表示部として機能する。また、下筐体には、多数の操作ボタンを有する操作部が設けられている。このような携帯電子機器では、連結部を中心として上筐体を下筐体に対して開き、上筐体の表示部を見ながら、下筐体の操作部を操作するのが一般的である（例えば特許文献１参照）。
【特許文献１】特開２００７−１５９１６５号公報
【発明の開示】
【発明が解決しようとする課題】
【０００３】
ところで、近年の携帯電子機器においては、ますます折り畳んだ状態での小型・薄型化が図られており、上筐体および下筐体の薄型化が進んでいる。また、携帯電子機器の使用形態の多様化から、携帯電子機器に静止画および動画が撮影可能なカメラユニットが設けられるようになってきた。
しかしながら、カメラユニットは機能上の理由から、光軸方向寸法である厚み寸法を一定以下に薄型化できないという制約がある。このため、従来の携帯電子機器のように、カメラ収納部を下筐体または上筐体のいずれかに設けてカメラユニットを収納した場合に、閉じた状態の外面からカメラユニットが突出してしまい、全体の薄型化を図ることができないという不都合がある。
【０００４】
本発明は、前述した不都合を解消するためになされたものであり、その目的は、閉じ状態において薄型化できる携帯電子機器を提供することにある。
【課題を解決するための手段】
【０００５】
本発明の携帯電子機器は、操作部が設けられた第１筐体と、表示部が設けられた第２筐体と、前記第１筐体と前記第２筐体とを連結する連結軸と、前記第１筐体の操作部が設けられた操作面から突出し、前記連結軸を収容する第１凸部と、前記第１凸部と、前記操作部との間に設けられ、カメラおよびスピーカのうちの少なくとも一方を収容する第２凸部と、前記第２筐体の表示部が設けられた表示面に設けられ、前記第１筐体および前記第２筐体が相対的に積層された閉じ状態において、前記第２凸部を収容する凹部と、を備えた構成を有している。
【０００６】
本発明においては、閉じ状態において第２凸部が凹部に収容されるため、閉じ状態においてカメラ等を収容するための凸部が第１筐体の外面および第２筐体の外面に露出せず、これにより従来に比較して閉じ状態を薄型化できることになる。
【０００７】
また、本発明の携帯電子機器は、前記第１凸部および前記第２凸部が連続した構成を有している。
【０００８】
本発明においては、第１凸部と第２凸部が連続しているため、第１筐体の操作面における操作部を広く確保できることになる。
【０００９】
また、本発明の携帯電子機器は、前記凹部が、前記第２筐体の表示面から前記表示面とは反対側の面まで貫通した構成を有している。
【００１０】
本発明においては、凹部が貫通しているため、第１筐体の操作面に対する第２凸部の突出寸法が第２筐体の厚み寸法以下であれば、閉じ状態において第２凸部が第２筐体から突出しない。
従って、本発明においては、閉じ状態における全体形状を薄型化できるとともに、表面をフラット化できることになる。
また、本発明においては、第２凸部の突出寸法を第２筐体の厚み寸法まで設定できるため、第１筐体自体の厚み寸法を更に薄型化できるとともに、光軸方向寸法が長い高性能なカメラを搭載できることになる。
【００１１】
また、本発明の携帯電子機器は、前記第１筐体における前記第１凸部側の端部にアンテナを収容する第３凸部が設けられた構成を有している。
【００１２】
本発明においては、第１筐体から離れた位置に第３凸部が設けられるため、アンテナ特性が向上することになる。
【００１３】
また、本発明の携帯電子機器は、前記第３凸部が、前記連結軸の軸線と平行な線を中心として前記第１筐体に対して回動可能である構成を有している。
【００１４】
本発明においては、第３凸部が回動可能であるため、例えば閉じ状態から開き状態に移行するにあたって、第２筐体が第３凸部に当接するように設定しておけば、第１筐体に対する第２筐体の回動に伴って第３凸部が回動し、これにより第３凸部が閉じ状態から開き状態に移行する際の妨げにならないことになる。
また、本発明においては、第３凸部が回動可能であるため、閉じ状態および開き状態において、それぞれ最適なアンテナ特性が得られることになる。
【００１５】
また、本発明の携帯電子機器は、前記第１筐体および前記第２筐体が相対的に積層された閉じ状態から、前記連結軸を中心として前記第１筐体および前記第２筐体が相対的に回動する開き状態に移行させるためのワンプッシュオープナ機構を備え、前記第３凸部が、前記ワンプッシュオープナ機構の操作ボタンである構成を有している。
【００１６】
本発明においては、第３凸部を操作することにより、容易に閉じ状態から開き状態に移行できるとともに、使用者が右手あるいは左手でワンプッシュオープナの操作ボタンを操作しても、使用感の差が生じないので、良好な操作性が得られる。
【発明の効果】
【００１７】
本発明によれば、閉じた状態で、カメラおよびスピーカのうちの少なくとも一方を収容する第２凸部が第１筐体の外面および第２筐体の外面から突出しないので、閉じた状態において薄型化できる携帯電子機器を提供できる。
【発明を実施するための最良の形態】
【００１８】
以下、本発明の実施形態の携帯電子機器について、図面を用いて説明する。
図１は本発明の実施形態の携帯電子機器の開いた状態を示す斜視図、図２は携帯電子機器の閉じた状態を示す斜視図、図３（Ａ）は閉じた状態の携帯電子機器の平面図、図３（Ｂ）は閉じた状態の携帯電子機器の側面図、図３（Ｃ）は閉じた状態の携帯電子機器の底面図、図４（Ａ）は図１中ＩＶ（Ａ）−ＩＶ（Ａ）位置の断面図、図４（Ｂ）は図１中ＩＶ（Ｂ）−ＩＶ（Ｂ）位置の断面図、図５（Ａ）は第２筐体と第３凸部の動きを示す側面図、図５（Ｂ）は第３凸部を指で回動させる状態を示す断面図である。
【００１９】
図１〜図５に本発明の実施形態を示す。実施形態の携帯電子機器としての携帯端末１０は、矩形箱状の第１筐体２０と、矩形箱状の第２筐体３０と、第１筐体２０および第２筐体３０を連結する連結軸４０とを有している。
【００２０】
なお、以下に示す実施形態において、第１筐体２０と連結軸４０との配列方向に沿った方向を長手方向と称し、長手方向に対して直交する方向を短手方向と称し、長手方向および短手方向に対して直交する方向を厚み方向と称する。第２筐体３０における長手方向、短手方向、厚み方向も、第１筐体２０における長手方向、短手方向、厚み方向と同様に称する。
【００２１】
携帯端末１０は、第１筐体２０および第２筐体３０が相対的に積層された閉じ状態（図２の状態）と、閉じ状態から連結軸４０を中心として第１筐体２０に対して第２筐体３０を回動させた開き状態（図１の状態）とを取り得る。
【００２２】
第１筐体２０は、携帯端末１０を使用者Ｍが使用する際に片手または両手で把持する部分であり、数字や文字を入力するための入力キー群２１ａと、各種設定や機能の切替えを行うための機能キー群２１ｂとを備えた操作部２１が操作面２０ａに設けられている。
【００２３】
第１筐体２０の連結軸４０側端部は、操作面２０ａから突出し、内部に連結軸４０を収容する第１凸部２２と、カメラ２４およびスピーカ２５のうちの少なくとも一方（ここでは両方（図３（Ａ）参照）を収容する第２凸部２３とが設けられている。
なお、カメラ２４のレンズ２４ａは、第２凸部２３の下面に対応する第１筐体２０の下面２０ｂに露出している（図３（Ｃ）参照）。
また、第１筐体２０の連結軸４０側端部は、幅方向両端部が切り欠かれており、中央部に幅が狭くなった突出部２６が設けられている。
【００２４】
また、第１筐体２０の連結軸４０と反対側端部には、操作面２０ａにマイクロフォン５１が設けられている。マイクロフォン２２は、携帯端末１０を電話として使用するために縦開き状態とした際に使用者の音声を集音するためのものである。
【００２５】
第１筐体２０における第１凸部２２の厚さ方向寸法（高さ）は、操作部２１が設けられている一般部よりも厚く、第１凸部２２の表面は操作面２０ａよりも上方に突出している。第１凸部２２の内部には、連結軸４０の中央部を軸支する軸受け部が設けられており、連結軸４０の両端部は第１凸部２２が設けられている突出部２６の左右両側面から突出している。
【００２６】
第２凸部２３は、第１凸部２２と操作部２１との間に設けられている。第１筐体２０における第２凸部２３の厚さは、少なくとも取り付けられているカメラ２４およびスピーカ２５の厚さよりも厚くなっている。第２凸部２３は第１凸部２２に連続して設けることができる。また、第２凸部２３の表面に、ＬＣＤからなる副表示部を設けることもできる。
【００２７】
第１筐体２０における第１凸部２２側の端部には、アンテナ２８を収容する第３凸部２９が設けられている。第３凸部２９は、連結軸４０の軸線と平行な線を中心として第１筐体２０に対して回動可能となっている。従って、閉じ状態から第２筐体３０を開く際に、第２筐体３０に伴って旋回可能となっており、第２筐体３０が開くのを妨げない。
また、第３凸部２９は、閉じ状態において基準位置（図３（Ｂ）に示す位置）に復帰するように、バネ等により付勢されている。従って、開き状態から第２筐体３０を閉じると、第３凸部２９はバネ等の復帰力により、基準位置に復帰する。
【００２８】
なお、携帯端末１０には、第１筐体２０および第２筐体３０が相対的に積層された閉じ状態から、連結軸４０を中心として第１筐体２０および第２筐体３０が相対的に回動する開き状態に移行させるためのワンプッシュオープナ機構（図示省略）が設けられている。ワンプッシュオープナ機構としては、第１筐体２０および連結軸４０間に掛け渡されたバネ装置（図示せず）を例示することができる。
【００２９】
すなわち、閉じ状態においてはバネ装置が作動しないようにロックしておき、操作ボタンによりロックを解除してバネ装置を作動させることにより、携帯端末１０を閉じ状態から縦開き状態に移行させる。
【００３０】
また、ワンプッシュオープナ機構を作動させるための操作ボタンとして、第３凸部２９を用いることができる。すなわち、使用者Ｍが、第１筐体２０に対して第２筐体３０を開く方向（図５（Ｂ）中矢印Ｂ方向）へ第３凸部２９を回動させることにより、バネ装置のロックを解除して第２筐体３０を開く。
【００３１】
第２筐体３０は、図１に示すように、閉じ状態（図２の状態）において第１筐体２０の操作面２０ａに対面する表示面３０ａにＬＣＤ等の主表示部３１が設けられている。
また、図２に示すように、第２筐体３０において表示面３０ａとは反対側の外面３０ｂには、副表示部３２が設けられている。主表示部３１は、縦開き状態においてゲームやＴＶ放送の表示画面として使用される。副表示部３２は、閉じ状態で情報を表示することができる。
【００３２】
第２筐体３０は、表示面３０ａにおける連結軸４０とは反対側の端部に、縦開き状態において電話として使用する際に、使用者の耳に当接させることにより送信された音声等を発する発音部３３が設けられている。
【００３３】
第２筐体３０の連結軸４０側端部には、表示面３０ａに凹部３４が設けられている。この凹部３４は、閉じ状態において、第２凸部２３を収容する部分である。ここでは、凹部３４として、第２筐体３０の表示面３０ａから反対側の外面３０ｂまで貫通している切欠き３５が設けられている。切欠き３５は、第２凸部２３および第１凸部２２を収容する大きさで設けられている。従って、閉じ状態において、第２筐体３０の外面３０ｂ側に第１凸部２２および第２凸部２３が露出する。
【００３４】
第２筐体３０の連結軸４０側端部には、凹部３４の左右両側に軸受け部３６が設けられている。軸受け部３６は、第１筐体２０の突出部２６から左右両側に突出している連結軸４０の左右両端部を軸支する。
【００３５】
連結軸４０は、第１筐体２０突出部２６に設けられている軸受け部および第２筐体３０の軸受け部３６の少なくとも一方に回動自在に軸支されるとともに、軸方向移動が規制されている。また、第１筐体２０と第２筐体３０とを電気的に接続する電線は、連結軸４０の内部を介して配線されている。
【００３６】
以上、説明した第１実施形態の携帯端末１０によれば、連結軸４０を収容する第１凸部２２を第１筐体２０の操作部２１が設けられた操作面２０ａから突出して設け、第１凸部２２と操作部２１との間に第２凸部２３を設けて、カメラ２４およびスピーカ２５のうちの少なくとも一方を収容した。
そして、第２筐体３０の表示面３０ａに、第１筐体２０と第２筐体３０を積層して閉じた状態で第２凸部２３を収容する凹部３５を設けたので、閉じた状態で第２凸部２３が第１筐体２０および第２筐体３０から突出せず、閉じた状態における薄型化を図ることができるとともに、表面をフラット化できる。
【００３７】
また、第１凸部２２と第２凸部２３とが連続しているため、第１筐体２０の操作面２０ａにおける操作部２１を広く確保することができる。
【００３８】
さらに、第２筐体３０に設けられている切欠き３５が貫通しているため、第１筐体２０の操作面２０ａに対する第２凸部２３の突出寸法が第２筐体３０の厚み寸法以下であれば、閉じ状態において第２凸部３２が突出しない。
【００３９】
さらに、第１筐体２０における第１凸部２２側の端部にアンテナ２８を収容する第３凸部２９を設けたので、アンテナ特性を向上させることができる。
【００４０】
また、アンテナ２８を収容する第３凸部２９が、連結軸４０の軸線と平行な線を中心として第１筐体２０に対して回動可能であるので、閉じ状態および開き状態において、それぞれ最適なアンテナ特性が得られることとなる。
さらに、第３凸部２９が第１筐体２０に対して回動可能であるので、携帯端末１０を電話として使用するにあたって、使用者の頭部からアンテナ２８を遠ざけることができ、ＳＡＲ（specific absorption rate）対策として有効である。
【００４１】
そして、第１筐体２０および第２筐体３０が相対的に積層された閉じ状態から、連結軸４０を中心として第１筐体２０および第２筐体３０が相対的に回動する開き状態に移行させるためのワンプッシュオープナ機構を設けたので、第１筐体２０に設けられた操作ボタンである第３凸部２９を操作することにより、容易に開き状態が得られる。
【００４２】
さらに、第３凸部２９が、連結軸４０の軸線と平行な線を中心として第１筐体２０に対して回動可能であるので、使用者が右手あるいは左手でワンプッシュオープナの第３凸部２９を操作しても、使用感の差が生じないので、操作性が改善される。
また、第２筐体３０に設けた凹部３４として貫通した切欠き３５を設けたので、第３凸部２９を指で操作する際に、指と第２筐体３０とが干渉しない。
【００４３】
なお、本発明の携帯電子機器は、前述した実施形態に限定されるものでなく、適宜な変形，改良等が可能である。
例えば、前述した実施形態において、第２筐体３０に設ける凹部３４として、貫通した切欠き３５を設けた場合を例示したが、図６に示すように、凹部３４として貫通せずに凹んだ窪み３７とすることもできる。この場合にも、前述した切欠き３５の場合と同様に、薄型化を図ることができるとともに、表面をフラット化できる。
そして、第３凸部２９が第１筐体２０に対して回動可能であるとともに、凹部３４として凹んだ窪み３７であるため、窪み３７の底部が電磁波の遮蔽物となり、凹部３４が貫通している場合に比較して、さらに有効なＳＡＲ（specific absorption rate）対策となる。
【００４４】
さらに、前述した実施形態において、第１凸部２２と第２凸部２３とが連続して設けられた場合を例示したが、図７に示すように、第１凸部２２と第２凸部２３とを別体に設けることもできる。この場合にも、前述した実施形態の場合と同様に、薄型化を図ることができる。
【００４５】
また、本発明の第３凸部は、前述した実施形態において例示した回動する形態に限らず、例えば第１筐体に対して進退する押下ボタンの形態でもよい。
【図面の簡単な説明】
【００４６】
【図１】本発明の第１実施形態にかかる携帯電子機器の開いた状態を示す斜視図
【図２】携帯電子機器の閉じた状態を示す斜視図
【図３】（Ａ）は閉じた状態の携帯電子機器の平面図、（Ｂ）は閉じた状態の携帯電子機器の側面図、図３（Ｃ）は閉じた状態の携帯電子機器の底面図
【図４】（Ａ）は図１中ＩＶ（Ａ）−ＩＶ（Ａ）位置の断面図、（Ｂ）は図１中ＩＶ（Ｂ）−ＩＶ（Ｂ）位置の断面図
【図５】（Ａ）は第２筐体と第３凸部の動きを示す側面図、（Ｂ）は第３凸部を指で回動させる状態を示す断面図
【図６】（Ａ）は凹部の変形例を示す全体斜視図、（Ｂ）は（Ａ）中Ｂ−Ｂ位置の断面図
【図７】第１凸部と第２凸部とが別体の場合を示す斜視図
【符号の説明】
【００４７】
１０  携帯端末（携帯電子機器）
２０  第１筐体
２０ａ  操作面
２１  操作部
２２  第１凸部
２３  第２凸部
２４  カメラ
２５  スピーカ
２８  アンテナ
２９  第３凸部（操作ボタン）
３０  第２筐体
３０ａ  表示面
３１  主表示部（表示部）
３４  凹部
３５  切欠き（凹部）
４０  連結軸
【図１】
2010093634.tif 000003
【図２】
2010093634.tif 000004
【図３】
2010093634.tif 000005
【図４】
2010093634.tif 000006
【図５】
2010093634.tif 000007
【図６】
2010093634.tif 000008
【図７】
2010093634.tif 000009